(57)【要約】【課題】遊技店にて払出しを受けた景品受取人から買取るべき特殊景品をその本人から買取ることを課題とする。【解決手段】本人確認システム１は、景品受取人７ａが所持する会員カードに記録された会員ＩＤを取得し、取得した景品受取人７ａの会員ＩＤを特殊景品に格納する景品管理装置３０と、特殊景品の買取り依頼を受け付けた場合に、当該特殊景品から景品受取人７ａの会員ＩＤを取り出すとともに、景品売渡人７ｂが所持する会員カードに記録された会員ＩＤを取得し、景品売渡人７ｂの会員ＩＤが景品受取人７ａの会員ＩＤと一致する場合には、当該景品売渡人７ｂが景品受取人７ａと同一人物であると判定し、景品受取人７ａの会員ＩＤと一致しない場合には、当該景品売渡人７ｂが景品受取人７ａと同一人物ではないと判定し、当該景品売渡人７ｂが景品受取人７ａと同一人物であると判定した場合には特殊景品の買取りを行う景品買取機５０とを備える。【選択図】        図１
2008000365.tif 000002
【特許請求の範囲】
【請求項１】
景品買取場にて特殊景品の買取り依頼を行う景品売渡人が遊技店にて獲得遊技媒体と引き換えに所定の情報が読書き可能な特殊景品の払出しを受けた景品受取人と同一人物であるか否かの本人確認を行う本人確認システムであって、
前記特殊景品の払出し時に前記景品受取人を一意に特定可能な個人特定情報を取得する受取人情報取得手段と、
前記受取人情報取得手段によって取得された景品受取人の個人特定情報を前記特殊景品に格納する受取人情報格納手段と、
前記特殊景品の買取り依頼を受け付けた場合に、当該特殊景品から景品受取人の個人特定情報を取り出す受取人情報取出手段と
を備えたことを特徴とする本人確認システム。
【請求項２】
前記景品売渡人の個人特定情報を取得する売渡人情報取得手段と、
前記売渡人情報取得手段によって取得された景品売渡人の個人特定情報と、前記受取人情報取出手段によって特殊景品から取り出された景品受取人の個人特定情報とを照合して前記本人確認を行う本人確認処理手段とをさらに備えたことを特徴とする請求項１に記載の本人確認システム。
【請求項３】
前記遊技店には、前記獲得遊技媒体と引き換えに当該獲得遊技媒体の数量に相当する価値分の特殊景品を払出すように制御する景品管理装置が配設され、
前記景品買取場には、前記買取り依頼を受け付けた特殊景品と引き換えに当該特殊景品に相当する価値分の貨幣を払出す景品買取機が配設されるものであって、
前記景品管理装置は、
前記景品受取人の個人特定情報として、当該景品受取人が所持する会員用記録媒体に記録された会員識別子を取得する前記受取人情報取得手段と、
前記受取人情報取得手段によって取得された景品受取人の会員識別子を前記特殊景品に格納する前記受取人情報格納手段とを備え、
前記景品買取機は、
前記特殊景品の買取り依頼を受け付けた場合に、当該特殊景品から景品受取人の会員識別子を取り出す前記受取人情報取出手段と、
前記景品売渡人が所持する会員用記録媒体に記録された会員識別子を取得する売渡人情報取得手段と、
前記売渡人情報取得手段によって取得された景品売渡人の会員識別子が、前記受取人情報取出手段によって特殊景品から取り出された景品受取人の会員識別子と一致する場合には、当該景品売渡人が前記景品受取人と同一人物であると判定し、前記景品受取人の会員識別子と一致しない場合には、当該景品売渡人が前記景品受取人と同一人物ではないと判定する本人確認処理手段とを備えた
ことを特徴とする請求項２に記載の本人確認システム。
【請求項４】
前記遊技店には、前記獲得遊技媒体と引き換えに当該獲得遊技媒体の数量に相当する価値分の特殊景品を払出すように制御する景品管理装置が配設され、
前記景品買取場には、前記買取り依頼を受け付けた特殊景品と引き換えに当該特殊景品に相当する価値分の貨幣を払出す景品買取機と、前記景品売渡人が所持する会員用記録媒体を取り扱う会員用記録媒体取扱い端末とが配設されるものであって、
前記景品管理装置は、
前記景品受取人の個人特定情報として、当該景品受取人が所持する会員用記録媒体に記録された会員識別子を取得する前記受取人情報取得手段と、
前記受取人情報取得手段によって取得された景品受取人の会員識別子を前記特殊景品に格納する前記受取人情報格納手段とを備え、
前記景品買取機は、
前記特殊景品の買取り依頼を受け付けた場合に、当該特殊景品から景品受取人の会員識別子を取り出す前記受取人情報取出手段を備え、
前記会員用記録媒体取扱い端末は、
前記景品売渡人が所持する会員用記録媒体に記録された会員識別子を取得する売渡人情報取得手段と、
前記売渡人情報取得手段によって取得された景品売渡人の会員識別子が、前記受取人情報取出手段によって特殊景品から取り出された景品受取人の会員識別子と一致する場合には、当該景品売渡人が前記景品受取人と同一人物であると判定し、前記景品受取人の会員識別子と一致しない場合には、当該景品売渡人が前記景品受取人と同一人物ではないと判定する本人確認処理手段とを備えた
ことを特徴とする請求項２に記載の本人確認システム。
【請求項５】
前記遊技店には、前記会員用記録媒体に記録される会員識別子に、当該会員識別子を付与された会員のグループ会員の会員識別子を対応付けて記憶管理する会員管理装置が配設されるものであって、
前記受取人情報取得手段は、前記景品受取人が所持する会員用記録媒体に記録された会員識別子とともに、前記会員管理装置にて当該会員識別子に対応付けて記憶管理されたグループ会員の会員識別子を取得し、
前記受取人情報格納手段は、前記受取人情報取得手段によって取得された景品受取人の会員識別子および該グループ会員の会員識別子を前記特殊景品に格納し、
前記受取人情報取出手段は、前記特殊景品の買取り依頼を受け付けた場合に、当該特殊景品から景品受取人の会員識別子および該グループ会員の会員識別子を取り出し、
前記本人確認処理手段は、前記売渡人情報取得手段によって取得された景品売渡人の会員識別子が、前記受取人情報取出手段によって特殊景品から取り出された景品受取人の会員識別子および該グループ会員の会員識別子のうちいずれかの会員識別子と一致する場合には、当該景品売渡人が前記景品受取人と同一人物であると判定し、いずれの会員識別子とも一致しない場合には、当該景品売渡人が前記景品受取人と同一人物ではないと判定することを特徴とする請求項３または４に記載の本人確認システム。
【請求項６】
前記受取人情報取出手段によって特殊景品から取り出された景品受取人の個人特定情報を表示するように制御して前記本人確認を支援する本人確認支援手段をさらに備えたことを特徴とする請求項１に記載の本人確認システム。
【請求項７】
前記遊技店には、前記獲得遊技媒体と引き換えに当該獲得遊技媒体の数量に相当する価値分の特殊景品を払出すように制御する景品管理装置が配設され、
前記景品買取場には、前記買取り依頼を受け付けた特殊景品に係る取扱い処理を行う特殊景品取扱い端末が配設されるものであって、
前記景品管理装置は、
前記景品受取人の個人特定情報として、当該景品受取人の顔画像を取得する前記受取人情報取得手段と、
前記受取人情報取得手段によって取得された景品受取人の顔画像を前記特殊景品に格納する前記受取人情報格納手段とを備え、
前記特殊景品取扱い端末は、
前記特殊景品の買取り依頼を受け付けた場合に、当該特殊景品から景品受取人の顔画像を取り出す前記受取人情報取出手段と、
前記受取人情報取出手段によって特殊景品から取り出された景品受取人の顔画像を表示するように制御して前記本人確認を支援する本人確認支援手段とを備えた
ことを特徴とする請求項６に記載の本人確認システム。
【請求項８】
前記遊技店には、前記獲得遊技媒体と引き換えに当該獲得遊技媒体の数量に相当する価値分の特殊景品を払出すように制御する景品管理装置が配設され、
前記景品買取場には、前記買取り依頼を受け付けた特殊景品と引き換えに当該特殊景品に相当する価値分の貨幣を払出す景品買取機が配設されるものであって、
前記景品管理装置は、
前記景品受取人の個人特定情報として、当該景品受取人の顔画像を取得する前記受取人情報取得手段と、
前記受取人情報取得手段によって取得された景品受取人の顔画像を前記特殊景品に格納する前記受取人情報格納手段とを備え、
前記景品買取機は、
前記特殊景品の買取り依頼を受け付けた場合に、当該特殊景品から景品受取人の顔画像を取り出す前記受取人情報取出手段と、
前記受取人情報取出手段によって特殊景品から取り出された景品受取人の顔画像を表示するように制御して前記本人確認を支援する本人確認支援手段とを備えた
ことを特徴とする請求項６に記載の本人確認システム。
【請求項９】
景品買取場にて特殊景品の買取り依頼を行う景品売渡人が遊技店にて獲得遊技媒体と引き換えに所定の情報が読書き可能な特殊景品の払出しを受けた景品受取人と同一人物であるか否かの本人確認を行う本人確認方法であって、
前記特殊景品の払出し時に前記景品受取人を一意に特定可能な個人特定情報を取得する受取人情報取得工程と、
前記受取人情報取得工程によって取得された景品受取人の個人特定情報を前記特殊景品に格納する受取人情報格納工程と、
前記特殊景品の買取り依頼を受け付けた場合に、当該特殊景品から景品受取人の個人特定情報を取り出す受取人情報取出工程と
を含んだことを特徴とする本人確認方法。
【発明の詳細な説明】
【技術分野】
【０００１】
本発明は、景品買取場にて特殊景品の買取り依頼を行う景品売渡人が遊技店にて獲得遊技媒体と引き換えに所定の情報が読書き可能な特殊景品の払出しを受けた景品受取人と同一人物であるか否かの本人確認を行う本人確認システム及び本人確認方法に関する。
【背景技術】
【０００２】
従来より、パチンコ遊技やパチスロ遊技などの遊技を提供する遊技店において、遊技客が遊技を終了するためには、遊技で獲得した獲得玉／獲得メダルを計数し、該計数した獲得玉／獲得メダルを所望の景品に交換する景品交換サービスを受ける必要がある。
【０００３】
この景品交換サービスの一連の流れを説明すると、遊技で獲得玉／獲得メダルを獲得した遊技客は、獲得玉／獲得メダルの計数依頼を遊技店の従業員に行い、この従業員の付添いのもとで計数機にて獲得玉／獲得メダルの計数を行い、その計数結果が関連付けられた計数用記録媒体、いわゆる「計数レシート」の発行を受ける。その後に、この遊技客は、景品カウンタに計数レシートを持ち込んで景品交換依頼を従業員に行い、計数レシートに関連付けられた獲得玉数／獲得メダル数の範囲内で獲得玉／獲得メダルと引き換えに所望の景品の払出しを受ける。
【０００４】
このような「景品交換サービス」を提供する遊技店では、盗難計数レシートを景品交換する不正行為を防止するために、景品交換依頼を行う景品交換依頼者が獲得遊技媒体の計数依頼を行った計数依頼者と同一人物であるか否かの本人確認を行う必要がある。
【０００５】
このことから、特許文献１では、計数レシートに一意に採番されたレシート番号に計数機および計数機周辺の撮像画像を対応付けて管理装置で記憶管理し、計数レシートを伴う景品交換依頼を景品カウンタにて受け付けた場合に、景品交換依頼時に景品カウンタにて撮像した撮像画像と、管理装置にて当該計数レシートのレシート番号に対応付けて管理された撮像画像とを照合し、これらの撮像画像内の人物が一致する場合には、当該計数レシートによる景品交換を許容する遊技場用の監視装置が開示されている。
【０００６】
なお、景品カウンタにて交換可能な景品としては、日常品、食料品や装飾品などの一般景品の他に、遊技店とは独立した景品買取業者（景品買取場）での買取りを前提とした特殊景品が存在するが、この特殊景品の払出しを受けた場合には、当該特殊景品を景品買取場に持ち込んで特殊景品の買取り依頼を従業者に行い、特殊景品の種類並びに数量の計数後に相当価値分の貨幣の払出しを受ける遊技客が一般的である。
【０００７】
【特許文献１】特開平８−２２４３５２号公報
【発明の開示】
【発明が解決しようとする課題】
【０００８】
しかしながら、上記した従来技術（特許文献１）は、景品交換依頼者が計数依頼者と同一人物であるか否かの本人確認を行うものに過ぎず、景品買取場にて特殊景品の買取り依頼を行う景品売渡人が遊技店にて獲得遊技媒体と引き換えに特殊景品の払出しを受けた景品受取人と同一人物であるか否かの本人確認を行うことには対応できないので、本来、遊技店にて払出しを受けた景品受取人から買取るべき特殊景品をその本人から買取ることができるとは限らないという問題点があった。
【０００９】
そこで、本発明は、上述した従来技術による課題（問題点）を解消するためになされたものであり、遊技店にて払出しを受けた景品受取人から買取るべき特殊景品をその本人から買取ることができる本人確認システム及び本人確認方法を提供することを目的とする。
【課題を解決するための手段】
【００１０】
上述した課題を解決し、目的を達成するために、請求項１の発明に係る本人確認システムは、景品買取場にて特殊景品の買取り依頼を行う景品売渡人が遊技店にて獲得遊技媒体と引き換えに所定の情報が読書き可能な特殊景品の払出しを受けた景品受取人と同一人物であるか否かの本人確認を行う本人確認システムであって、前記特殊景品の払出し時に前記景品受取人を一意に特定可能な個人特定情報を取得する受取人情報取得手段と、前記受取人情報取得手段によって取得された景品受取人の個人特定情報を前記特殊景品に格納する受取人情報格納手段と、前記特殊景品の買取り依頼を受け付けた場合に、当該特殊景品から景品受取人の個人特定情報を取り出す受取人情報取出手段とを備えたことを特徴とする。
【００１１】
また、請求項２の発明に係る本人確認システムは、請求項１の発明において、前記景品売渡人の個人特定情報を取得する売渡人情報取得手段と、前記売渡人情報取得手段によって取得された景品売渡人の個人特定情報と、前記受取人情報取出手段によって特殊景品から取り出された景品受取人の個人特定情報とを照合して前記本人確認を行う本人確認処理手段とをさらに備えたことを特徴とする。
【００１２】
また、請求項３の発明に係る本人確認システムは、請求項２の発明において、前記遊技店には、前記獲得遊技媒体と引き換えに当該獲得遊技媒体の数量に相当する価値分の特殊景品を払出すように制御する景品管理装置が配設され、前記景品買取場には、前記買取り依頼を受け付けた特殊景品と引き換えに当該特殊景品に相当する価値分の貨幣を払出す景品買取機が配設されるものであって、前記景品管理装置は、前記景品受取人の個人特定情報として、当該景品受取人が所持する会員用記録媒体に記録された会員識別子を取得する前記受取人情報取得手段と、前記受取人情報取得手段によって取得された景品受取人の会員識別子を前記特殊景品に格納する前記受取人情報格納手段とを備え、前記景品買取機は、前記特殊景品の買取り依頼を受け付けた場合に、当該特殊景品から景品受取人の会員識別子を取り出す前記受取人情報取出手段と、前記景品売渡人が所持する会員用記録媒体に記録された会員識別子を取得する売渡人情報取得手段と、前記売渡人情報取得手段によって取得された景品売渡人の会員識別子が、前記受取人情報取出手段によって特殊景品から取り出された景品受取人の会員識別子と一致する場合には、当該景品売渡人が前記景品受取人と同一人物であると判定し、前記景品受取人の会員識別子と一致しない場合には、当該景品売渡人が前記景品受取人と同一人物ではないと判定する本人確認処理手段とを備えたことを特徴とする。
【００１３】
また、請求項４の発明に係る本人確認システムは、請求項２の発明において、請求項２の発明において、前記遊技店には、前記獲得遊技媒体と引き換えに当該獲得遊技媒体の数量に相当する価値分の特殊景品を払出すように制御する景品管理装置が配設され、前記景品買取場には、前記買取り依頼を受け付けた特殊景品と引き換えに当該特殊景品に相当する価値分の貨幣を払出す景品買取機と、前記景品売渡人が所持する会員用記録媒体を取り扱う会員用記録媒体取扱い端末とが配設されるものであって、前記景品管理装置は、前記景品受取人の個人特定情報として、当該景品受取人が所持する会員用記録媒体に記録された会員識別子を取得する前記受取人情報取得手段と、前記受取人情報取得手段によって取得された景品受取人の会員識別子を前記特殊景品に格納する前記受取人情報格納手段とを備え、前記景品買取機は、前記特殊景品の買取り依頼を受け付けた場合に、当該特殊景品から景品受取人の会員識別子を取り出す前記受取人情報取出手段を備え、前記会員用記録媒体取扱い端末は、前記景品売渡人が所持する会員用記録媒体に記録された会員識別子を取得する売渡人情報取得手段と、前記売渡人情報取得手段によって取得された景品売渡人の会員識別子が、前記受取人情報取出手段によって特殊景品から取り出された景品受取人の会員識別子と一致する場合には、当該景品売渡人が前記景品受取人と同一人物であると判定し、前記景品受取人の会員識別子と一致しない場合には、当該景品売渡人が前記景品受取人と同一人物ではないと判定する本人確認処理手段とを備えたことを特徴とする。
【００１４】
また、請求項５の発明に係る本人確認システムは、請求項３または４の発明において、前記遊技店には、前記会員用記録媒体に記録される会員識別子に、当該会員識別子を付与された会員のグループ会員の会員識別子を対応付けて記憶管理する会員管理装置が配設されるものであって、前記受取人情報取得手段は、前記景品受取人が所持する会員用記録媒体に記録された会員識別子とともに、前記会員管理装置にて当該会員識別子に対応付けて記憶管理されたグループ会員の会員識別子を取得し、前記受取人情報格納手段は、前記受取人情報取得手段によって取得された景品受取人の会員識別子および該グループ会員の会員識別子を前記特殊景品に格納し、前記受取人情報取出手段は、前記特殊景品の買取り依頼を受け付けた場合に、当該特殊景品から景品受取人の会員識別子および該グループ会員の会員識別子を取り出し、前記本人確認処理手段は、前記売渡人情報取得手段によって取得された景品売渡人の会員識別子が、前記受取人情報取出手段によって特殊景品から取り出された景品受取人の会員識別子および該グループ会員の会員識別子のうちいずれかの会員識別子と一致する場合には、当該景品売渡人が前記景品受取人と同一人物であると判定し、いずれの会員識別子とも一致しない場合には、当該景品売渡人が前記景品受取人と同一人物ではないと判定することを特徴とする。
【００１５】
また、請求項６の発明に係る本人確認システムは、請求項１の発明において、前記受取人情報取出手段によって特殊景品から取り出された景品受取人の個人特定情報を表示するように制御して前記本人確認を支援する本人確認支援手段をさらに備えたことを特徴とする。
【００１６】
また、請求項７の発明に係る本人確認システムは、請求項６の発明において、前記遊技店には、前記獲得遊技媒体と引き換えに当該獲得遊技媒体の数量に相当する価値分の特殊景品を払出すように制御する景品管理装置が配設され、前記景品買取場には、前記買取り依頼を受け付けた特殊景品に係る取扱い処理を行う特殊景品取扱い端末が配設されるものであって、前記景品管理装置は、前記景品受取人の個人特定情報として、当該景品受取人の顔画像を取得する前記受取人情報取得手段と、前記受取人情報取得手段によって取得された景品受取人の顔画像を前記特殊景品に格納する前記受取人情報格納手段とを備え、前記特殊景品取扱い端末は、前記特殊景品の買取り依頼を受け付けた場合に、当該特殊景品から景品受取人の顔画像を取り出す前記受取人情報取出手段と、前記受取人情報取出手段によって特殊景品から取り出された景品受取人の顔画像を表示するように制御して前記本人確認を支援する本人確認支援手段とを備えたことを特徴とする。
【００１７】
また、請求項８の発明に係る本人確認システムは、請求項６の発明において、前記遊技店には、前記獲得遊技媒体と引き換えに当該獲得遊技媒体の数量に相当する価値分の特殊景品を払出すように制御する景品管理装置が配設され、前記景品買取場には、前記買取り依頼を受け付けた特殊景品と引き換えに当該特殊景品に相当する価値分の貨幣を払出す景品買取機が配設されるものであって、前記景品管理装置は、前記景品受取人の個人特定情報として、当該景品受取人の顔画像を取得する前記受取人情報取得手段と、前記受取人情報取得手段によって取得された景品受取人の顔画像を前記特殊景品に格納する前記受取人情報格納手段とを備え、前記景品買取機は、前記特殊景品の買取り依頼を受け付けた場合に、当該特殊景品から景品受取人の顔画像を取り出す前記受取人情報取出手段と、前記受取人情報取出手段によって特殊景品から取り出された景品受取人の顔画像を表示するように制御して前記本人確認を支援する本人確認支援手段とを備えたことを特徴とする。
【００１８】
また、請求項９の発明に係る本人確認方法は、景品買取場にて特殊景品の買取り依頼を行う景品売渡人が遊技店にて獲得遊技媒体と引き換えに所定の情報が読書き可能な特殊景品の払出しを受けた景品受取人と同一人物であるか否かの本人確認を行う本人確認方法であって、前記特殊景品の払出し時に前記景品受取人を一意に特定可能な個人特定情報を取得する受取人情報取得工程と、前記受取人情報取得工程によって取得された景品受取人の個人特定情報を前記特殊景品に格納する受取人情報格納工程と、前記特殊景品の買取り依頼を受け付けた場合に、当該特殊景品から景品受取人の個人特定情報を取り出す受取人情報取出工程とを含んだことを特徴とする。
【発明の効果】
【００１９】
本発明によれば、特殊景品の払出し時に景品受取人を一意に特定可能な個人特定情報を取得し、取得した景品受取人の個人特定情報を特殊景品に格納し、特殊景品の買取り依頼を受け付けた場合に、当該特殊景品から景品受取人の個人特定情報を取り出すこととしたので、景品受取人及び景品売渡人の間での個人特定情報の照合処理、或いは、景品受取人の個人特定情報の表示制御を行うことができ、遊技店にて払出しを受けた景品受取人から買取るべき特殊景品をその本人から買取ることが可能な本人確認システム及び本人確認方法が得られるという効果を奏する。
【００２０】
また、本発明によれば、景品売渡人の個人特定情報を取得し、取得した景品売渡人の個人特定情報と、特殊景品から取り出した景品受取人の個人特定情報とを照合して本人確認を行うこととしたので、景品買取場にて特殊景品の買取り依頼を行う景品売渡人が遊技店にて払出しを受けた景品受取人であることを確認してから特殊景品の買取りを行うことができ、遊技店にて払出しを受けた景品受取人から買取るべき特殊景品をその本人から買取ることが可能な本人確認システムが得られるという効果を奏する。
【００２１】
また、本発明によれば、景品管理装置が、景品受取人の個人特定情報として、当該景品受取人が所持する会員用記録媒体に記録された会員識別子を取得し、取得した景品受取人の会員識別子を特殊景品に格納し、景品買取機が、特殊景品の買取り依頼を受け付けた場合に、当該特殊景品から景品受取人の会員識別子を取り出すとともに、景品売渡人が所持する会員用記録媒体に記録された会員識別子を取得し、景品売渡人の会員識別子が、特殊景品から取り出された景品受取人の会員識別子と一致する場合には、当該景品売渡人が景品受取人と同一人物であると判定し、景品受取人の会員識別子と一致しない場合には、当該景品売渡人が景品受取人と同一人物ではないと判定することとしたので、遊技店に配設される景品管理装置並びに景品買取場に配設される景品買取機のいずれにおいても、景品受取人及び景品売渡人の個人特定情報として両者が所持する会員用記録媒体の会員識別子を取得することで、遊技店において会員であることの重要性を高めることができ、遊技店の会員登録を促進することが可能な本人確認システムが得られるという効果を奏する。
【００２２】
また、本発明によれば、景品管理装置が、景品受取人の個人特定情報として、当該景品受取人が所持する会員用記録媒体に記録された会員識別子を取得し、取得した景品受取人の会員識別子を特殊景品に格納し、景品買取機が、特殊景品の買取り依頼を受け付けた場合に、当該特殊景品から景品受取人の会員識別子を取り出し、会員用記録媒体取扱い端末が、景品売渡人が所持する会員用記録媒体に記録された会員識別子を取得し、取得した景品売渡人の会員識別子が、特殊景品から取り出された景品受取人の会員識別子と一致する場合には、当該景品売渡人が前記景品受取人と同一人物であると判定し、景品受取人の会員識別子と一致しない場合には、当該景品売渡人が前記景品受取人と同一人物ではないと判定することとしたので、遊技店において会員であることの重要性を高めることができ、遊技店の会員登録を促進することが可能な本人確認システムが得られるという効果を奏する。さらに、会員用記録媒体を取扱う端末を景品買取機に接続する構成を採用することで、既存の景品買取機の構成を改変する必要がなくなる。
【００２３】
また、本発明によれば、景品受取人が所持する会員用記録媒体に記録された会員識別子とともに、会員管理装置にて当該会員識別子に対応付けて記憶管理されたグループ会員の会員識別子を取得し、取得した景品受取人の会員識別子および該グループ会員の会員識別子を特殊景品に格納する一方で、特殊景品の買取り依頼を受け付けた場合に、当該特殊景品から景品受取人の会員識別子および該グループ会員の会員識別子を取り出し、景品売渡人の会員識別子が、特殊景品から取り出された景品受取人の会員識別子および該グループ会員の会員識別子のうちいずれかの会員識別子と一致する場合には、当該景品売渡人が景品受取人と同一人物であると判定し、いずれの会員識別子とも一致しない場合には、当該景品売渡人が景品受取人と同一人物ではないと判定することとしたので、景品買取機にて特殊景品の買取りを許容する景品売渡人を景品受取人のみならず景品受取人に密接に関連するグループ会員に拡張することができ、遊技客の利便性を向上させることが可能な本人確認システムが得られるという効果を奏する。
【００２４】
また、本発明によれば、特殊景品から取り出された景品受取人の個人特定情報を表示するように制御して前記本人確認を支援することとしたので、景品売渡人が景品受取人本人であるか否かを景品買取場の業務員に確認させることができ、遊技店にて払出しを受けた景品受取人から買取るべき特殊景品をその本人から買取ることが可能な本人確認システムが得られるという効果を奏する。
【００２５】
また、本発明によれば、景品管理装置が、景品受取人の個人特定情報として、当該景品受取人の顔画像を取得し、取得した景品受取人の顔画像を特殊景品に格納し、取扱い端末が、特殊景品の買取り依頼を受け付けた場合に、当該特殊景品から景品受取人の顔画像を取り出し、特殊景品から取り出した景品受取人の顔画像を表示するように制御して本人確認を支援することとしたので、景品買取場の業務員に景品売渡人が景品受取人本人であるか否かをより確実に確認させることが可能な本人確認システムが得られるという効果を奏する。
【００２６】
また、本発明によれば、景品管理装置が、景品受取人の個人特定情報として、当該景品受取人の顔画像を取得し、取得した景品受取人の顔画像を特殊景品に格納し、景品買取機が、特殊景品の買取り依頼を受け付けた場合に、当該特殊景品から景品受取人の顔画像を取り出し、特殊景品から取り出した景品受取人の顔画像を表示するように制御して本人確認を支援することとしたので、景品買取場の業務員に景品売渡人が景品受取人本人であるか否かをより確実に確認させることが可能な本人確認システムが得られるという効果を奏する。
【発明を実施するための最良の形態】
【００２７】
以下の添付図面を参照して、本発明に係る本人確認システム（本人確認方法）の好適な実施例を詳細に説明する。なお、以下では、本発明に係る本人確認システムを実施例１〜２として説明した後に、本発明に含まれる他の実施例を実施例３として説明する。
【実施例１】
【００２８】
以下の実施例１では、本実施例１に係る本人確認システムの概要および特徴、システムを構成する各装置の構成および処理の流れを順に説明する。
【００２９】
［概要および特徴（実施例１）］
まず最初に、図１を用いて、本実施例１に係る本人確認システム１の概要および特徴を説明する。図１は、実施例１に係る本人確認システムの概要および特徴を説明するための概念図である。
【００３０】
同図に示すように、この本人確認システム１は、景品買取場５にて特殊景品の買取り依頼を行う景品売渡人７ｂが遊技店３にて獲得遊技媒体と引き換えに特殊景品の払出しを受けた景品受取人７ａと同一人物であるか否かの本人確認を行うものであり、獲得遊技媒体と引き換えに当該獲得遊技媒体の数量に相当する価値分の特殊景品を払出すように制御する景品管理装置３０と、買取り依頼を受け付けた特殊景品と引き換えに当該特殊景品に相当する価値分の貨幣を払出す景品買取機５０と有する。なお、この景品管理装置３０には、特殊景品に内蔵されるＩＣチップなどの記録媒体に情報を書き込む書込機能、並びに、その特殊景品を払出す払出し機能を有する景品払出機４０が接続されている。
【００３１】
ここで言う「景品受取人」とは、獲得遊技媒体と特殊景品の交換を行い、この交換で特殊景品を得た遊技客のことを指し、具体的には、遊技で獲得した獲得玉／獲得メダルの計数を後述する計数機２０にて行い、その計数結果が関連付けられた計数用記録媒体、いわゆる「計数レシート」の発行を受け、その計数レシートを景品カウンタに持ち込んで景品交換依頼を従業員に行い、景品管理装置３０にて計数レシートに関連付けられた獲得玉数／獲得メダル数の範囲内で獲得玉／獲得メダルと引き換えに特殊景品の払出しを受ける。
【００３２】
また、「景品売渡人」とは、景品買取場５に配設された景品買取機５０に特殊景品の買取り依頼を行う人物全般を指し、基本的には、遊技店３にて特殊景品の払出しを受けた遊技客、すなわち景品受取人７ａと同一人物であることが好ましいが、この中には、景品受取人７ａと共謀して正当な特殊景品に偽造景品や模造景品などの不正景品を混在させて買取り依頼を行ったり、その他、特殊景品に係る不正行為を行う不正者も含まれる。
【００３３】
ここで、本実施例１に係る本人確認システム１は、特殊景品の払出し時に景品受取人を一意に特定可能な個人特定情報を取得し、取得した景品受取人の個人特定情報を特殊景品に格納し、特殊景品の買取り依頼を受け付けた場合に、当該特殊景品から景品受取人の個人特定情報を取り出すとともに、景品売渡人の個人特定情報を取得し、特殊景品から取り出した景品受取人の個人特定情報と、取得した景品売渡人の個人特定情報とを照合して本人確認を行う点に主たる特徴があり、かかる一連の処理によって、遊技店にて払出しを受けた景品受取人から買取るべき特殊景品をその本人から買取ることができるようにしている。
【００３４】
すなわち、実施例１に係る景品管理装置３０では、遊技店３とは独立した景品買取場５に設置される景品買取機５０にて景品売渡人７ｂが景品受取人７ａと同一人物であるか否かの本人確認が行うことができるように、特殊景品に内蔵されるＩＣチップなどの記録媒体に景品受取人７ａが所持する会員用記録媒体、いわゆる「会員カード」に記録された会員識別子（以下、これを「会員ＩＤ」と言う）を記録させてから景品として払い出している。
【００３５】
例えば、図１の例で言えば、景品管理装置３０では、景品受取人７ａから計数レシートを伴う景品交換要求を受け付けた場合に、その計数レシートに関連付けられた獲得玉／獲得メダルの数量を読み取るとともに、景品受取人７ａが所持する会員カードから会員ＩＤを読み取り、景品受取人７ａから獲得玉／獲得メダルとの交換景品として特殊景品の選択を受け付けた場合には、当該景品受取人７ａの会員カードから読み取った会員ＩＤを特殊景品に内蔵されたＩＣチップに書き込むように指示するとともに、会員ＩＤ書込み後の特殊景品を払い出すように景品払出機４０に指示する。なお、ここで言う「関連付け」とは、獲得玉／獲得メダルを計数する度に一意に採番される計数識別子（計数ＩＤ）もしくは計数結果そのものを所定の記録媒体（例えば、紙媒体、磁気カード、ＩＣカードなど）に記録させることを指すが、前者の場合には、景品管理装置３０にて計数ＩＤに対応付けて計数結果を記憶管理させる必要がある。
【００３６】
一方、実施例１に係る景品買取機５０は、景品売渡人７ｂによる特殊景品の買取り依頼を受け付けた場合に、遊技店３に配設された景品管理装置３０にて特殊景品に内蔵のＩＣチップに書き込まれた景品受取人７ａの会員ＩＤを用いて本人確認を行う。
【００３７】
例えば、上記の例を踏襲して説明すると、景品買取機５０では、景品売渡人７ｂから特殊景品を伴う買取り依頼を受け付けた場合に、その特殊景品に記録された景品受取人７ａの会員ＩＤを読み取るとともに、当該景品売渡人７ｂが所持する会員カードから会員ＩＤを読み取る。
【００３８】
そして、景品買取機５０は、景品売渡人７ｂの会員ＩＤが、特殊景品から取り出された景品受取人７ａの会員ＩＤと一致する場合には、当該景品売渡人７ｂが景品受取人７ａと同一人物であると判定して、買取り依頼を受け付けた特殊景品に相当する価値分の貨幣を払出し、また、景品受取人７ａの会員ＩＤと一致しない場合には、当該景品売渡人７ｂが景品受取人７ａと同一人物ではないと判定して、不正な買取り依頼が行われた可能性がある旨を景品買取場５の業務員に報知する。なお、両者の会員ＩＤが不一致である場合でも、当該景品売渡人７ｂが会員ＩＤ不一致での買取りを行った回数が所定回数に満たない場合に限り、特殊景品の買取りを許容してもよい。
【００３９】
このように、特殊景品から取り出された景品受取人７ａの個人特定情報と、景品売渡人７ｂの個人特定情報とを照合して本人確認を行うことで、景品買取場５にて特殊景品の買取り依頼を行う景品売渡人７ｂが遊技店３にて払出しを受けた景品受取人７ａであることを確認してから特殊景品の買取りを行うことができる。
【００４０】
したがって、実施例１に係る本人確認システム１によれば、景品買取場５にて特殊景品の買取り依頼を行う景品売渡人７ｂが遊技店３にて払出しを受けた景品受取人７ａであることを確認してから特殊景品の買取りを行うことができ、上記した主たる特徴のように、遊技店３にて払出しを受けた景品受取人７ａから買取るべき特殊景品をその本人から買取ることが可能になる。
【００４１】
さらに、実施例１に係る本人確認システム１によれば、遊技店３に配設された景品管理装置３０にて景品受取人７ａから取得した個人特定情報を特殊景品に記録させ、景品買取り場５に配設された景品買取機５０にて特殊景品に記録された景品受取人７ａを用いて本人確認を行うので、遊技店３と景品買取場５の間で通信網を設けずとも景品受取人７ａの個人特定情報を共有することができる。
【００４２】
［本人確認システムの構成］
続いて、実施例１に係る本人確認システムを構成する各装置の構成を説明する。なお、ここでは、（１）景品管理装置３０の構成を説明した後に、（２）景品買取機５０の構成を説明する。
【００４３】
（１）景品管理装置３０の構成
前述したように、ここでは、図２を用いて、実施例１に係る景品管理装置３０の構成を説明する。図２は、実施例１に係る景品管理装置３０の構成を示す機能ブロック図である。同図に示すように、景品管理装置３０は、獲得遊技媒体と引き換えに当該獲得遊技媒体の数量に相当する価値分の特殊景品を払出すように制御するものであるが、すでに説明した景品払出機４０の他、遊技客（後の景品受取人７ａ）が獲得した獲得玉／獲得メダルを計数する計数機２０並びに一つの会員ＩＤに当該会員ＩＤを付与された会員のグループ会員の会員ＩＤを対応付けて記憶管理する会員管理Ｔ／Ｃ１０が接続されている。
【００４４】
図２に示すように、この景品管理装置３０は、遊技客用タッチパネル３１と、従業員用タッチパネル３２と、通信制御ＩＦ部３３と、会員カード処理部３４と、計数レシート処理部３５と、獲得玉／獲得メダルＤＢ３６と、制御部３７とを備える。
【００４５】
このうち、遊技客用タッチパネル３１は、液晶パネルやディスプレイなど表示デバイスで構成された遊技客用の表示入力手段である。例えば、計数レシートに関連付けられた獲得玉数／獲得メダル数を表示したり、獲得玉／獲得メダルと交換する景品の選択操作を受け付けたりする。
【００４６】
従業員用タッチパネル３２は、液晶パネルやディスプレイなど表示デバイスで構成された従業員用の表示入力手段である。例えば、計数レシートに関連付けられた獲得玉数／獲得メダル数を表示する。なお、従業員用タッチパネル３２では、遊技客用タッチパネル３１で行われる各種操作に対して従業員による介入操作を行うことができるように構成しても良い。
【００４７】
通信制御ＩＦ部３３は、当該景品管理装置３０と他の装置（例えば、会員管理Ｔ／Ｃ１０、計数機２０および景品払出機４０などの装置）の間で各種通信の制御を行う処理部である。
【００４８】
会員カード処理部３４は、会員カードに記録された情報を読み取るカードリーダであり、具体的には、会員カードの会員ＩＤを読み取り、該読み取った会員ＩＤを制御部３７に出力するものである。
【００４９】
計数レシート処理部３５は、計数レシートに関連付けられた計数情報を読み取ることを主機能とする処理部であり、具体的には、遊技店の従業員による計数レシートの読取操作を受け付けた場合に、計数レシートにバーコード印字された計数ＩＤを読み取る。
【００５０】
獲得玉／獲得メダルＤＢ３６は、計数レシートに関連付けられた獲得玉／獲得メダルの数量を記憶する記憶（格納）手段である。具体的には、計数レシートにバーコード印字された計数ＩＤに、獲得玉／獲得メダルの数量、計数日時、レシート番号などの情報を記憶している。
【００５１】
制御部３７は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、景品交換処理部３７ａ、受取人情報取得部３７ｂ及び受取人情報格納部３７ｃを有する。
【００５２】
このうち、景品交換処理部３７ａは、計数レシートに関連付けられた獲得玉数／獲得メダル数を上限として、獲得玉／獲得メダルを所望の景品に交換する景品交換処理を行う処理部である。具体的には、従業員による計数レシートの読取操作を受け付けたならば、計数レシート処理部３５を通じて計数レシートから計数ＩＤを読み取り、該読み取った計数ＩＤに対応する計数情報を獲得玉／獲得メダルＤＢ３６から取得し、遊技客用タッチパネル３１及び従業員用タッチパネル３２を介して景品の選択を受け付ける。
【００５３】
このとき、景品交換処理部３７ａは、交換景品として特殊景品が選択された場合には、後述する受取人情報取得部３７ｂ及び受取人情報格納部３７ｃによって景品として払出す特殊景品に当該景品受取人７ａの会員ＩＤが格納された後に、その特殊景品の払出しを景品払出機４０に指示し、また、交換景品として一般景品が選択された場合には、選択された景品を遊技客に譲り渡すように従業員用タッチパネル３２にて報知する。
【００５４】
受取人情報取得部３７ｂは、特殊景品の払出し時に景品受取人７ａを一意に特定可能な個人特定情報を取得する処理部である。具体的には、交換景品として特殊景品が選択された場合に、会員カードの挿入を促す報知を遊技客用タッチパネル３１にて行い、これに応答して景品受取人７ａによって会員カードが挿入されたならば、当該会員カードに記録された会員ＩＤを読み取るとともに、会員管理Ｔ／Ｃ１０にて景品受取人７ａの会員ＩＤに対応付けて記憶管理されたグループ会員ＩＤを取得する。なお、所定の時間、たとえば「１０秒」が経過しても会員カードが挿入されなかった場合には、特殊景品の交換には会員カードを要する旨を遊技客用タッチパネル３１にて報知する。
【００５５】
受取人情報格納部３７ｃは、受取人情報取得部３７ｂによって取得された景品受取人７ａの個人特定情報を特殊景品に格納する処理部である。具体的には、受取人情報取得部３７ｂによって景品受取人７ａの会員カードから読み取った会員ＩＤ及びそのグループ会員ＩＤを景品として払出す特殊景品に書き込みように景品払出機４０に指示する。なお、本実施例１では、景品として払出す全ての特殊景品に景品受取人７ａの会員ＩＤを書き込むこととするが、本発明はこれに限定されるものではなく、景品受取人７ａの会員ＩＤを少なくとも１つの特殊景品に書き込むようにすればよい。
【００５６】
このように、本実施例１では、交換景品として特殊景品の払出しを受ける場合には景品受取人７ａに会員カードを挿入させることを必須とすることで、景品受取人７ａの個人特定情報として当該景品受取人７ａの会員ＩＤを特殊景品に格納することができるようにしている。
【００５７】
（２）景品買取機の構成
次に、図３を用いて、実施例１に係る景品買取機５０の構成を説明する。図３は、実施例１に係る景品買取機５０の構成を示す機能ブロック図である。同図に示すように、この景品買取機５０は、買取り依頼を受け付けた特殊景品と引き換えに当該特殊景品に相当する価値分の貨幣を払出すものであり、景品買取機５０の各内部回路に対して電力を供給する電源部５１と、外部タッチパネル５２ａと、内部タッチパネル５２ｂと、レシート処理部５３と、景品搬送制御部５４ａと、景品読取部５４ｂと、景品収納部５４ｃと、紙幣処理部５５ａと、硬貨処理部５５ｂと、会員カード処理部５６と、買取集計ＤＢ５７と、制御部５８とを備える。
【００５８】
このうち、外部タッチパネル５２ａは、液晶パネルやディスプレイなどの表示デバイスで構成された遊技客用の表示入力手段である。例えば、買取り依頼を受け付けた特殊景品の景品種別ごとの個数やその買取り金額などを表示したり、買取り取引の決定ボタンの押下操作により特殊景品の買取りの実行要求を受け付けたりする。
【００５９】
内部タッチパネル５２ｂは、液晶パネルやディスプレイなどの表示デバイスで構成された景品買取業者用の表示入力手段である。例えば、買取り集計ＤＢ５７に記憶された買取集計データを表示したり、画面表示した締め上げボタンの押下操作により買取集計データの印字要求を受け付けたりする。
【００６０】
レシート処理部５３は、各種情報を所定の媒体に印字出力する処理部である。例えば、内部タッチパネル５２ｂを通じて買取集計データの印字要求を受け付けた場合に、買取り集計ＤＢ５７に記憶された買取集計データをレシート用紙に印字して「締め上げ票」を作成する。
【００６１】
景品搬送制御部５４ａは、景品受入口に投入された特殊景品の搬送制御を行う処理部である。具体的には、景品受入口に投入された特殊景品（買取り依頼を受け付けた特殊景品）が買取られた場合には、該特殊景品を景品収納部５４ｃに搬送し、また、買取り取引の中止要求を受け付けた場合または買取り依頼の棄却を決定した場合には、景品受入口に投入された特殊景品を景品返却口に搬送する。
【００６２】
景品読取部５４ｂは、特殊景品に内蔵された記録媒体に記録された情報を読み取る処理部である。具体的には、景品受入口に特殊景品が投入されたならば、該投入された特殊景品から景品受取人７ａの会員ＩＤ及びそのグループ会員ＩＤを読み取るとともに、その特殊景品を景品種別ごとに計数して景品種別ごとの特殊景品数を集計する。なお、この時、景品読取部５４ｂは、特殊景品に内蔵された磁気ストライプから、ビスカスなどの偽造防止用認識情報も読み取っている。
【００６３】
景品収納部５４ｃは、特殊景品を収納する処理部である。具体的には、買取り依頼を受け付けた特殊景品が買取られた場合に、その特殊景品を景品種別（例えば、「大」、「小」）ごとに収納する。なお、景品買取場５の営業終了後には、景品収納部５４ｃに収納された特殊景品は、景品搬送制御部５４ａにより図示しない運搬用景品収納部（景品カセット）に搬送される。
【００６４】
紙幣処理部５５ａは、紙幣の収納及び出金等を司る処理部である。具体的には、景品買取り処理部５８ａによる紙幣払出指示に応答して、景品買取金として予め収納された紙幣を紙幣出金口から出金する。なお、景品買取場５の営業終了後には、紙幣処理部５５ａに収納された収納紙幣は、運搬用紙幣収納部（紙幣カセット）に搬送される。
【００６５】
硬貨処理部５５ｂは、硬貨の収納及び出金等を司る処理部である。具体的には、景品買取り処理部５８ａによる硬貨払出指示に応答して、景品買取金として予め収納された硬貨を硬貨出金口から出金する。なお、景品買取場５の営業終了後には、硬貨処理部５５ｂに収納された収納硬貨は、運搬用硬貨収納部（硬貨カセット）に搬送される。
【００６６】
会員カード処理部５６は、会員カードに記録された情報を読み取るカードリーダであり、具体的には、会員カードの会員ＩＤを読み取り、該読み取った会員ＩＤを制御部５８に出力するものである。
【００６７】
買取り集計ＤＢ５７は、特殊景品の買取り取引に係る集計データを記憶する記憶（格納）手段である。例えば、景品収納部５４ｃに収納された買取景品の景品種別ごとの在高、紙幣処理部５５ａに収納された紙幣の金種別の在高や硬貨処理部５５ｂに収納された金種別の在高を記憶している。
【００６８】
制御部５８は、景品買取機５０の全体制御を司る制御部であり、特に本発明に密接に関連するものとしては、景品買取り処理部５８ａと、売渡人情報取得部５８ｂと、本人確認処理部５８ｃとを備える。
【００６９】
このうち、景品買取り処理部５８ａは、買取り依頼を受け付けた特殊景品と引き換えに、該特殊景品に相当する価値分の貨幣を払出す「景品交換処理」を行う処理部である。具体的には、景品売渡人７ｂから払出景品の買取り依頼を受け付け、さらに、景品受入口に特殊景品が投入された場合に、景品計数・読取指示を景品読取部５４ｂに行う。なお、本実施例１では、景品売渡人７ｂが景品受取人７ａと同一人物であるか否かの本人確認を行うために、景品買取場５にて特殊景品の買取りを受ける場合には景品売渡人７ｂに会員カードを挿入させることを必須としている。
【００７０】
そして、景品買取り処理部５８ａは、景品読取部５４ｂによって特殊景品に内蔵の磁気ストライプから読み取られたビスカスなどの偽造防止用認識情報が正当なものであるか否かの真偽判定を行い、その結果、偽造景品や模造景品などの不正景品がないと判定し、かつ後述する本人確認処理部５８ｃにより景品売渡人７ｂが景品受取人７ａと同一人物であると判定された場合に、買取り依頼を受け付けた特殊景品に相当する価値分の紙幣および／または硬貨を払い出すように紙幣処理部５５ａおよび／または硬貨処理部５５ｂに指示するとともに、買取り後の特殊景品を景品収納部５４ｃに収納するように景品搬送制御部５４ａに指示する。
【００７１】
売渡人情報取得部５８ｂは、景品売渡人７ｂを一意に特定可能な個人特定情報を取得する処理部である。具体的には、会員カードの挿入を伴う特殊景品の買取り依頼を受け付けた場合に、会員カード処理部５６を通じてその会員カードから景品売渡人７ｂの会員ＩＤを取得する。
【００７２】
本人確認処理部５８ｃは、景品読取部５４ｂによって特殊景品から読み取られた景品受取人７ａの会員ＩＤ及びそのグループ会員ＩＤと、売渡人情報取得部５８ｂによって取得された景品売渡人７ｂの会員ＩＤとを照合して本人確認を行う処理部である。
【００７３】
具体的には、売渡人情報取得部５８ｂによって取得された景品売渡人７ｂの会員ＩＤが、景品読取部５４ｂによって特殊景品から読み取られた景品受取人７ａの会員ＩＤ及びそのグループ会員ＩＤのうちいずれかの会員ＩＤと一致する場合には、当該景品売渡人７ｂが景品受取人７ａと同一人物であると判定し、いずれの会員ＩＤとも一致しない場合には、当該景品売渡人７ｂが景品受取人７ａと同一人物ではないと判定する。
【００７４】
このように、遊技店３に配設される景品管理装置３０並びに景品買取場５に配設される景品買取機５０のいずれにおいても、景品受取人７ａ及び景品売渡人７ｂの個人特定情報として両者が所持する会員カードの会員ＩＤを取得することで、遊技店３において会員であることの重要性を高め、もって遊技店の会員登録を促進することができるようにしている。
【００７５】
さらに、景品買取機５０にて特殊景品の買取りを許容する景品売渡人７ｂを景品受取人７ａのみならず景品受取人７ａに密接に関連するグループ会員に拡張することで、遊技客の利便性を向上させることができるようにしている。
【００７６】
［処理の流れ］
次に、本実施例１に係る本人確認システム１の各種処理の手順を説明する。なお、ここでは、遊技店３の景品管理装置３０にて行われる（１）景品交換処理を説明した後に、景品買取場５の景品買取機５０にて行われる（２）景品買取り処理を説明する。
【００７７】
（１）景品交換処理
前述したように、ここでは、図４を用いて、実施例１に係る景品交換処理を説明する。図４は、実施例１に係る景品交換処理の手順を示すフローチャートである。この景品交換処理は、遊技店３が営業中であり、景品管理装置３０の電源がＯＮ状態である場合に回帰的に行われる処理である。
【００７８】
同図に示すように、景品交換処理部３７ａは、従業員による計数レシートの読取操作を受け付けたならば（ステップＳ４０１肯定）、計数レシート処理部３５を通じて計数レシートから計数ＩＤを読み取り、該読み取った計数ＩＤに対応する計数情報を獲得玉／獲得メダルＤＢ３６から取得し（ステップＳ４０２）、遊技客用タッチパネル３１及び従業員用タッチパネル３２を介して景品の選択を受け付ける（ステップＳ４０３）。
【００７９】
このとき、交換景品として特殊景品以外の一般景品が選択された場合（ステップＳ４０４否定）には、景品交換処理部３７ａは、選択された景品を遊技客に譲り渡すように従業員用タッチパネル３２にて報知する（ステップＳ４０５）。
【００８０】
一方、交換景品として特殊景品が選択された場合（ステップＳ４０４肯定）には、受取人情報取得部３７ｂは、会員カードの挿入を促す報知を遊技客用タッチパネル３１にて行い（ステップＳ４０６）、これに応答して景品受取人７ａによって会員カードが挿入されたならば（ステップＳ４０７肯定）、当該会員カードに記録された会員ＩＤを読み取るとともに（ステップＳ４０９）、会員管理Ｔ／Ｃ１０にて景品受取人７ａの会員ＩＤに対応付けて記憶管理されたグループ会員ＩＤを取得する（ステップＳ４１０）。
【００８１】
続いて、受取人情報格納部３７ｃは、受取人情報取得部３７ｂによって景品受取人７ａの会員カードから読み取った会員ＩＤ及びそのグループ会員ＩＤを景品として払出す特殊景品に書き込みように景品払出機４０に指示し（ステップＳ４１１）、会員ＩＤの書込み終了後、景品交換処理部３７ａは、特殊景品の払出しを景品払出機４０に指示する（ステップＳ４１２）。
【００８２】
また、所定の時間、たとえば「１０秒」が経過しても会員カードが挿入されなかった場合（ステップＳ４０７否定）には、受取人情報取得部３７ｂは、特殊景品の交換には会員カードを要する旨を遊技客用タッチパネル３１にて報知し（ステップＳ４０８）、景品の選択を受け付けるステップＳ４０３に戻り、以後の処理を同様に行う。
【００８３】
最後に、景品管理装置３０は、遊技客（景品受取人７ａ）による景品選択が終了するまで（ステップＳ４１３肯定）、上記したステップＳ４０３〜ステップＳ４１２の処理を繰り返し行う。
【００８４】
（２）景品買取り処理
次に、図５を用いて、実施例１に係る景品買取り処理を説明する。図５は、実施例１に係る景品買取り処理の手順を示すフローチャートである。この景品買取り処理は、景品買取場５が営業中であり、かつ景品買取機５０の電源がＯＮ状態である場合に回帰的に行われる処理である。
【００８５】
同図に示すように、会員カードの挿入を伴う特殊景品の買取り依頼を受け付けた場合（ステップＳ５０１肯定）に、売渡人情報取得部５８ｂは、会員カード処理部５６を通じてその会員カードから景品売渡人７ｂの会員ＩＤを取得し（ステップＳ５０２）、その後、景品買取り処理部５８ａは、景品売渡人７ｂが買取り依頼を行う特殊景品の投入を促す報知を外部タッチパネル５２ａにて行う（ステップＳ５０３）。
【００８６】
このとき、所定期間、例えば「１５秒」の間に特殊景品が景品受入口に投入されなかった場合（ステップＳ５０４否定）には、景品買取り処理部５８ａは、会員カード処理部５６に会員カードを返却させる（ステップＳ５０５）。
【００８７】
また、特殊景品が景品受入口に投入された場合（ステップＳ５０４肯定）には、景品読取部５４ｂは、投入された特殊景品から景品受取人７ａの会員ＩＤ及びそのグループ会員ＩＤを読み取るとともに、その特殊景品を景品種別ごとに計数して景品種別ごとの特殊景品数を集計する（ステップＳ５０６）。なお、この時、景品読取部５４ｂは、特殊景品に内蔵された磁気ストライプから、ビスカスなどの偽造防止用認識情報も読み取っている。
【００８８】
その後、景品買取り処理部５８ａは、景品読取部５４ｂによって特殊景品に内蔵の磁気ストライプから読み取られたビスカスなどの偽造防止用認識情報が正当なものであるか否かの真偽判定を行い（ステップＳ５０７）、その結果、偽造景品や模造景品などの不正景品が存在すると判定した場合（ステップＳ５０７否定）には、不正な買取り依頼が行われている可能性がある旨を景品買取場５の業務員が視認可能な端末装置にて報知させる（ステップＳ５０８）。
【００８９】
一方、景品買取り処理部５８ａによって偽造景品や模造景品などの不正景品が存在しないと判定された場合（ステップＳ５０７肯定）に、本人確認処理部５８ｃは、売渡人情報取得部５８ｂによって取得された景品売渡人７ｂの会員ＩＤが景品読取部５４ｂによって特殊景品から読み取られた景品受取人７ａの会員ＩＤ及びそのグループ会員ＩＤと一致するか否かを判定する（ステップＳ５０９）。
【００９０】
ここで、景品売渡人７ｂの会員ＩＤが景品受取人７ａの会員ＩＤ及びそのグループ会員ＩＤのいずれとも一致しない場合（ステップＳ５０９否定）には、本人確認処理部５８ｃは、不正な買取り依頼が行われている可能性がある旨を景品買取場５の業務員が視認可能な端末装置にて報知させる（ステップＳ５０８）。
【００９１】
また、景品売渡人７ｂの会員ＩＤが景品受取人７ａの会員ＩＤ及びそのグループ会員ＩＤのうちいずれかの会員ＩＤと一致する場合（ステップＳ５０９肯定）には、景品買取り処理部５８ａは、景品読取部５４ｂにて計数した景品種別ことの特殊景品数及びそれに相当する金額を外部タッチパネル５２ａにて確認表示させる（ステップＳ５１０）。
【００９２】
その後、外部タッチパネル５２ａを通じて特殊景品の買取りの実行要求を受け付けた場合（ステップＳ５１１肯定）に、景品買取り処理部５８ａは、買取り依頼を受け付けた特殊景品に相当する価値分の紙幣および／または硬貨を払い出すように紙幣処理部５５ａおよび／または硬貨処理部５５ｂに指示するとともに（ステップＳ５１２）、買取り後の特殊景品を景品収納部５４ｃに収納するように景品搬送制御部５４ａに指示し（ステップＳ５１３）、処理を終了する。
【００９３】
また、外部タッチパネル５２ａを通じて特殊景品の買取りの実行要求を受け付けなかった場合（ステップＳ５１１否定）に、景品買取り処理部５８ａは、投入中の特殊景品を返却するように景品搬送制御部５４ａに指示し（ステップＳ５１４）、処理を終了する。
【００９４】
上述してきたように、本実施例１に係る本人確認システム１によれば、景品受取人７ａが所持する会員カードに記録された会員ＩＤを取得し、取得した景品受取人７ａの会員ＩＤを特殊景品に格納する一方で、特殊景品の買取り依頼を受け付けた場合に、当該特殊景品から景品受取人７ａの会員ＩＤを取り出すとともに、景品売渡人７ｂが所持する会員カードに記録された会員ＩＤを取得し、景品売渡人７ｂの会員ＩＤが、特殊景品から取り出した景品受取人７ａの会員ＩＤと一致する場合には、当該景品売渡人７ｂが景品受取人７ａと同一人物であると判定し、景品受取人７ａの会員ＩＤと一致しない場合には、当該景品売渡人７ｂが景品受取人７ａと同一人物ではないと判定するように構成したので、景品買取場５にて特殊景品の買取り依頼を行う景品売渡人７ｂが遊技店３にて払出しを受けた景品受取人７ａであることを確認してから特殊景品の買取りを行うことができ、遊技店３にて払出しを受けた景品受取人７ａから買取るべき特殊景品をその本人から買取ることが可能である。
【００９５】
また、本実施例１に係る本人確認システム１によれば、遊技店３に配設される景品管理装置３０並びに景品買取場５に配設される景品買取機５０のいずれにおいても、景品受取人７ａ及び景品売渡人７ｂの個人特定情報として両者が所持する会員カードの会員ＩＤを取得することで、遊技店３において会員であることの重要性を高め、もって遊技店の会員登録を促進することが可能である。
【００９６】
さらに、本実施例１に係る本人確認システム１によれば、景品買取機５０にて特殊景品の買取りを許容する景品売渡人７ｂを景品受取人７ａのみならず景品受取人７ａに密接に関連するグループ会員に拡張することで、遊技客の利便性を向上させることが可能である。
【実施例２】
【００９７】
次に、実施例２に係る本人確認システムを説明する。以下の実施例２では、実施例２に係る本人確認システムの概要および特徴、システムを構成する各装置の構成および処理の流れを順に説明する。
【００９８】
［概要および特徴（実施例２）］
まず最初に、図６を用いて、実施例２に係る本人確認システムの概要および特徴を説明する。図６は、実施例２に係る本人確認システム９の概要および特徴を説明するための概念図である。
【００９９】
同図に示すように、実施例２に係る本人確認システム９は、実施例１と同様に、景品買取場５にて特殊景品の買取り依頼を行う景品売渡人７ｂが遊技店３にて獲得遊技媒体と引き換えに特殊景品の払出しを受けた景品受取人７ａと同一人物であるか否かの本人確認を行うものであるが、システム構成の主な相違点としては、実施例１に係る本人確認システム１が特殊景品の買取りを自動的に行う景品買取機５０が配設される無人の景品買取場であるに対し、本実施例２に係る本人確認システム９では業務員が特殊景品の買取りを行う有人の景品買取場である点が主として相違する。
【０１００】
このため、本実施例２に係る本人確認システム９には、景品買取機５０に代えて、景品売渡人７ｂから買取り依頼を受け付けた特殊景品に係る取扱い処理を行う特殊景品取扱い端末９０が景品買取場５に配設されている。
【０１０１】
ここで、本実施例２に係る本人確認システム９は、特殊景品の払出し時に景品受取人７ａを一意に特定可能な個人特定情報を取得し、取得した景品受取人７ａの個人特定情報を特殊景品に格納し、特殊景品の買取り依頼を受け付けた場合に、当該特殊景品から景品受取人の個人特定情報を取り出し、特殊景品から取り出した景品受取人７ａの個人特定情報を表示するように制御して本人確認を支援する点に主たる特徴があり、かかる一連の処理によって、実施例１と同様、遊技店にて払出しを受けた景品受取人から買取るべき特殊景品をその本人から買取ることができるようにしている。
【０１０２】
すなわち、実施例２に係る景品管理装置７０では、遊技店３とは独立した景品買取場５に設置される特殊景品取扱い端末９０にて景品売渡人７ｂが景品受取人７ａと同一人物であるか否かの本人確認が行うことができるように、景品売渡人７ｂの個人特定情報として景品受取人７ａの顔画像を特殊景品に内蔵されるＩＣチップなどの記録媒体に記録させてから景品として払い出している。
【０１０３】
例えば、図６の例で言えば、景品管理装置７０では、景品受取人７ａから計数レシートを伴う景品交換要求を受け付けた場合に、その計数レシートに関連付けられた獲得玉／獲得メダルの数量を読み取るとともに、景品受取人７ａの顔画像を後述するカメラ７１に撮像させ、景品受取人７ａから獲得玉／獲得メダルとの交換景品として特殊景品の選択を受け付けた場合には、当該景品受取人７ａの顔画像を特殊景品に内蔵されたＩＣチップに書き込むように指示するとともに、顔画像書込み後の特殊景品を払い出すように景品払出機４０に指示する。
【０１０４】
一方、実施例２に係る特殊景品取扱い端末９０は、景品売渡人７ｂによる特殊景品の買取り依頼を受け付けた場合に、遊技店３に配設された景品管理装置７０にて特殊景品に内蔵のＩＣチップに書き込まれた景品受取人７ａの顔画像を取り出し、当該景品受取人７ａの顔画像を所定の表示部にて表示させる。
【０１０５】
このように、景品売渡人７ｂから特殊景品の買取り依頼を受け付けた場合に、特殊景品から景品受取人７ａの顔画像を取り出し、該取り出した景品受取人７ａの顔画像を表示するように制御して本人確認を支援することで、景品売渡人７ｂが景品受取人７ａ本人であるか否かを景品買取場５の業務員に容易に確認させることができ、景品買取場５にて特殊景品の買取り依頼を行う景品売渡人７ｂが遊技店３にて払出しを受けた景品受取人７ａであることを確認してから特殊景品の買取りを行うことができる。
【０１０６】
したがって、実施例２に係る本人確認システム９によれば、実施例１と同様に、景品買取場５にて特殊景品の買取り依頼を行う景品売渡人７ｂが遊技店３にて払出しを受けた景品受取人７ａであることを確認してから特殊景品の買取りを行うことができ、上記した主たる特徴のように、遊技店３にて払出しを受けた景品受取人７ａから買取るべき特殊景品をその本人から買取ることが可能になる。
【０１０７】
［本人確認システムの構成］
続いて、実施例２に係る本人確認システムを構成する各装置の構成を説明する。なお、ここでは、実施例１と重複する説明を省略し、実施例１に係る本人確認システムの構成または機能と差異が存在する点を説明する。
【０１０８】
ここで、本実施例２に係る本人確認システム９では、実施例１に比較して、景品受取人７ａの個人特定情報として、景品買取場５の業務員が景品売渡人７ｂと比較可能な顔画像を用いる点が相違する。
【０１０９】
そのため、以下では、本実施例２で景品売渡人７ｂの顔画像を取り扱うことによって実施例１と差異が生じる構成および機能を景品管理装置７０、特殊景品取扱い端末９０の順で説明する。
【０１１０】
前述したように、ここでは、図７を用いて、本実施例２に係る景品管理装置７０と実施例１に係る景品管理装置３０の相違点を説明する。図７は、実施例２に係る景品管理装置７０の構成を示す機能ブロック図である。この図７および図２に示すように、本実施例２に係る景品管理装置７０は、実施例１と比較して、景品受取人７ａの顔画像を取得するために画像撮像装置であるカメラ７１が付設されている点が主として相違する。
【０１１１】
この点を反映した各機能部の動作を説明すると、受取人情報取得部７２ｂは、遊技客用タッチパネル３１又は従業員用タッチパネル３２にて交換景品として特殊景品が選択された場合に、実施例１のように、景品受取人７ａが所持する会員カードに記録された会員ＩＤを取得するのではなく、景品受取人７ａの顔部分を撮像可能な位置に付設されたカメラ７１に対して、景品受取人７ａの顔部分を撮像するように指示して景品受取人７ａの顔画像を取得する。なお、この時、遊技客用タッチパネル３１にて景品受取人７ａの顔部分がカメラ７１に正対するように報知するようにしてもよいし、さらに、従業員用タッチパネル３２にてカメラ７１の撮像方向及び撮像タイミングを操作させるようにしてもよい。
【０１１２】
受取人情報格納部７２ｃは、景品受取人７ａの会員ＩＤを特殊景品に書き込む実施例１における受取人情報格納部３２ｃとは相違し、受取人情報取得部７２ｂによって取得された景品受取人７ａの顔画像を特殊景品に書き込むように景品払出機４０に指示する。
【０１１３】
次に、図８を用いて、本実施例２に係る特殊景品取扱い端末９０と実施例１に係る景品買取機５０の相違点を説明する。図８は、実施例２に係る特殊景品取扱い端末９０の構成を示す機能ブロック図である。この図８及び図３に示すように、本実施例２に係る特殊景品取扱い端末９０は、有人の景品買取場であることに起因して紙幣及び貨幣の払出し機能が不要である点が相違する。
【０１１４】
この点を反映した各機能部の動作を説明すると、景品読取部９４は、景品買取場５の業務員による特殊景品の読取操作がなされると、特殊景品から景品受取人７ａの顔画像を読み取るとともに、その特殊景品を景品種別ごとに計数して景品種別ごとの特殊景品数を集計する。なお、実施例１と同様に、景品読取部９４は、特殊景品に内蔵された磁気ストライプから、ビスカスなどの偽造防止用認識情報も読み取っている。
【０１１５】
そして、制御部９５は、景品読取部９４によって特殊景品に内蔵の磁気ストライプから読み取られたビスカスなどの偽造防止用認識情報が正当なものであるか否かの真偽判定を行い、その結果、偽造景品や模造景品などの不正景品がないと判定された場合には、本人確認支援部９５ａは、景品読取部９４によって読み取られた景品受取人７ａの顔画像を表示部９２にて表示させる。なお、この時、景品受取人７ａの顔画像に加え、景品読取部９４にて集計した景品種別ことの特殊景品数及びそれに相当する金額をさらに表示させるようにしてもよい。
【０１１６】
［処理の流れ］
次に、本実施例２に係る本人確認システム９の各種処理の手順を説明する。なお、ここでは、遊技店３の景品管理装置７０にて行われる（１）景品交換処理を説明した後に、景品買取場５の特殊景品取扱い端末９０にて行われる（２）本人確認支援処理を説明する。
【０１１７】
（１）景品交換処理
前述したように、ここでは、図９を用いて、実施例２に係る景品交換処理を説明する。図９は、実施例２に係る景品交換処理の手順を示すフローチャートである。この景品交換処理は、遊技店３が営業中であり、景品管理装置７０の電源がＯＮ状態である場合に回帰的に行われる処理である。
【０１１８】
同図に示すように、景品交換処理部７２ａは、従業員による計数レシートの読取操作を受け付けたならば（ステップＳ９０１肯定）、計数レシート処理部３５を通じて計数レシートから計数ＩＤを読み取り、該読み取った計数ＩＤに対応する計数情報を獲得玉／獲得メダルＤＢ３６から取得し（ステップＳ９０２）、遊技客用タッチパネル３１及び従業員用タッチパネル３２を介して景品の選択を受け付ける（ステップＳ９０３）。
【０１１９】
このとき、交換景品として特殊景品以外の一般景品が選択された場合（ステップＳ９０４否定）には、景品交換処理部７２ａは、選択された景品を遊技客に譲り渡すように従業員用タッチパネル３２にて報知する（ステップＳ９０５）。
【０１２０】
一方、交換景品として特殊景品が選択された場合（ステップＳ９０４肯定）には、受取人情報取得部７２ｂは、景品受取人７ａの顔部分を撮像可能な位置に付設されたカメラ７１に対して、景品受取人７ａの顔部分を撮像するように指示して景品受取人７ａの顔画像を取得し（ステップＳ９０６）、受取人情報格納部７２ｃは、その景品受取人７ａの顔画像を特殊景品に書き込むように景品払出機４０に指示し（ステップＳ９０７）、顔画像の書込み終了後、景品交換処理部７２ａは、特殊景品の払出しを景品払出機４０に指示する（ステップＳ９０８）。
【０１２１】
最後に、景品管理装置７０は、遊技客（景品受取人７ａ）による景品選択が終了するまで（ステップＳ９０９肯定）、上記したステップＳ９０３〜ステップＳ９０８の処理を繰り返し行う。
【０１２２】
（２）本人確認支援処理
次に、図１０を用いて、実施例２に係る本人確認支援処理を説明する。図１０は、実施例２に係る本人確認支援処理の手順を示すフローチャートである。この本人確認支援処理は、景品買取場５が営業中であり、かつ特殊景品取扱い端末９０の電源がＯＮ状態である場合に回帰的に行われる処理である。
【０１２３】
同図に示すように、景品買取場５の業務員による特殊景品の読取操作がなされると（ステップＳ１００１肯定）、制御部９５は、景品読取部９４を通じて、特殊景品から景品受取人７ａの顔画像を取得するとともに、その特殊景品を景品種別ごとに計数して景品種別ごとの特殊景品数を集計する（ステップＳ１００２）。
【０１２４】
ここで、制御部９５は、景品読取部９４によって特殊景品に内蔵の磁気ストライプから読み取られたビスカスなどの偽造防止用認識情報が正当なものであるか否かの真偽判定を行い（ステップＳ１００３）、その結果、偽造景品や模造景品などの不正景品が存在すると判定した場合（ステップＳ１００３否定）には、不正な買取り依頼が行われている可能性がある旨の報知を表示部９２にて行うとともに（ステップＳ１００４）、景品読取部９４によって読み取られた景品受取人７ａの顔画像を表示部９２にて表示させ（ステップＳ１００５）、処理を終了する
【０１２５】
一方、偽造景品や模造景品などの不正景品がないと判定された場合（ステップＳ１００３肯定）には、本人確認支援部９５ａは、景品読取部９４によって読み取られた景品受取人７ａの顔画像を表示部９２にて表示させ（ステップＳ１００５）、処理を終了する。
【０１２６】
このようにして、景品買取場５にて景品受取人７ａの顔画像を表示するように制御して本人確認を支援することで、景品売渡人７ｂが景品受取人７ａ本人であるか否かを景品買取場５の業務員に容易に確認させることができるようにしている。
【０１２７】
上述してきたように、本実施例２に係る本人確認システム９によれば、景品受取人７ａの顔画像を取得し、取得した景品受取人７ａの顔画像を特殊景品に格納する一方で、特殊景品の買取り依頼を受け付けた場合に、当該特殊景品から景品受取人７ａの顔画像を取り出し、特殊景品から取り出した景品受取人７ａの顔画像を表示するように制御して本人確認を支援するように構成したので、景品売渡人７ｂが景品受取人７ａ本人であるか否かを景品買取場５の業務員に容易に確認させることができ、遊技店３にて払出しを受けた景品受取人７ａから買取るべき特殊景品をその本人から買取ることが可能である。
【０１２８】
さらに、本実施例２に係る本人確認システム９によれば、景品買取場５の業務員に景品売渡人７ｂと目視確認させる景品受取人７ａの個人特定情報として、景品受取人７ａの顔画像を用いるように構成したので、景品買取場５の業務員に景品売渡人が景品受取人本人であるか否かをより確実に確認させることが可能である。
【実施例３】
【０１２９】
さて、これまで本発明の実施例について説明したが、本発明は上述した実施例以外にも、種々の異なる形態にて実施されてよいものである。そこで、以下では、本発明に含まれる他の実施例を説明する。
【０１３０】
（１）総括
上記した実施例１及び２のように、少なくとも、特殊景品の払出し時に景品受取人７ａを一意に特定可能な個人特定情報を取得し、取得した景品受取人７ａの個人特定情報を特殊景品に格納し、特殊景品の買取り依頼を受け付けた場合に、当該特殊景品から景品受取人の個人特定情報を取り出すように本人確認システムを構成することで、景品受取人７ａ及び景品売渡人７ｂの間での個人特定情報の照合処理、或いは、景品受取人７ａの個人特定情報の表示制御を行うことができ、景品買取機５０による照合材料を与えたり、景品買取場の業務員に本人確認用の情報を提供することが可能になる。
【０１３１】
（２）個人特定情報
また、上記した実施例１では、景品受取人ａ及び景品売渡人７ｂの個人特定情報として景品受取人７ａ又は景品売渡人７ｂが所持する会員カードに記録された会員ＩＤを用いる実施例を説明したが、本発明はこれに限定されるものではなく、顔画像、指紋画像及び特定部の静脈画像などの生体情報やその他のもの（例えば、携帯電話番号、メールアドレス、キャッシュカードＩＤなど）を個人特定情報として用いた場合でも本発明を同様に適用することができる。
【０１３２】
さらに、上記した実施例１及び２では、景品受取人７ａの個人特定情報を特殊景品に格納する実施例を説明したが、遊技店３の景品管理装置３０及び７０にて特殊景品が払い出される際に添付されるレシートなどに個人特定情報を格納するようにしてもよい。
【０１３３】
なお、上記した実施例１では、景品受取人７ａ及び景品売渡人７ｂが所持する会員カードに対する読取処理を行うことで、景品受取人７ａ及び景品売渡人７ｂの会員ＩＤを取得する実施例を説明したが、本発明はこれに限定されるものではなく、景品受取人７ａ及び景品売渡人７ｂの両者に入力操作を行わせて会員ＩＤを取得するようにしてもよい。
【０１３４】
（３）本発明の応用例
例えば、本発明では、景品受取人７ａと景品売渡人７ｂの個人特定情報の照合結果や視認比較結果が同一人物でないと判定／判断された場合に、実施例１であれば景品受取人７ａ及び景品売渡人７ｂの会員ＩＤ、実施例２であれば景品受取人７ａの顔画像をブラックリストとしてデータベースなどで記憶管理するようにしてもよい。
【０１３５】
（４）その他
例えば、上記した実施例１及び実施例２では、遊技店３の景品管理装置３０又は７０に計数レシートが持ち込まれた場合の実施例を説明したが、本発明はこれに限定されるものではなく、遊技店３の景品管理装置３０又は７０に会員カードが持ち込まれ、会員カードに関連付けられた貯玉／貯メダルと引き換えに特殊景品の払出しが行われる場合にも本発明を同様に適用することができる。
【０１３６】
また、上記した実施例１及び実施例２では、景品管理装置３０又は７０と景品払出機４０が別体である実施例を説明したが、本発明はこれに限定されるものではなく、景品管理装置３０又は７０と景品払出機４０が一体型に構成された場合でも本発明を同様に適用することができる。
【０１３７】
また、上記した実施例１では、景品売渡人７ｂが所持する会員カードの読取り及びその会員識別子の照合機能を景品買取機５０にて行うこととしたが、本発明はこれに限定されるものではなく、会員カードの読取り機能及びその会員識別子の照合機能など本発明に関係する機能を有する装置を景品買取り機能のみを備えた既存の景品買取機に接続した場合にも本発明を同様に適用することができる。なお、この場合には、景品買取場の既存の設備を改変する必要がないという効果を新たに得ることができる。
【０１３８】
さらに、上記した実施例２では、特殊景品の読取り機能及び景品受取人７ａの顔画像の表示制御機能を特殊景品取扱い端末９０にて行うこととしたが、本発明はこれに限定されるものではなく、景品買取り機能を備えた既存の景品買取機にこれらの機能を付加するようにしてもよい。例えば、景品買取場５の業務員の操作により、それらの機能が付加された景品買取機に対して特殊景品の投入及び買取り操作を行い、これらの操作によって得られた貨幣を景品受取人７ａの顔画像を参照して視認による本人確認を行った後に始めて景品売渡人７ｂに譲り渡すようにしてもよい。
【０１３９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４０】
また、図示した各装置の各構成要素は機能概念的なものであり、必ずしも物理的に図示の如く構成されていることを要しない。すなわち、各装置の分散・統合の具体的形態は図示のものに限られず、全部（例えば、景品買取機５０で言えば、売渡人情報取得部５８ｂ及び本人確認処理部５８ｃ）またはその一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１４１】
以上のように、本発明に係る本人確認システム及び本人確認方法は、遊技店にて払出しを受けた景品受取人から買取るべき特殊景品をその本人から買取ることができる本人確認システム及び本人確認方法に適している。
【図面の簡単な説明】
【０１４２】
【図１】実施例１に係る本人確認システム１の概要および特徴を説明するための概念図である。
【図２】実施例１に係る景品管理装置３０の構成を示す機能ブロック図である。
【図３】実施例１に係る景品買取機５０の構成を示す機能ブロック図である。
【図４】実施例１に係る景品交換処理の手順を示すフローチャートである。
【図５】実施例１に係る景品買取り処理の手順を示すフローチャートである。
【図６】実施例２に係る本人確認システム９の概要および特徴を説明するための概念図である。
【図７】実施例２に係る景品管理装置７０の構成を示す機能ブロック図である。
【図８】実施例２に係る特殊景品取扱い端末９０の構成を示す機能ブロック図である。
【図９】実施例２に係る景品交換処理の手順を示すフローチャートである。
【図１０】実施例２に係る本人確認支援処理の手順を示すフローチャートである。
【符号の説明】
【０１４３】
１，９    本人確認システム
３    遊技店
５    景品買取場
７ａ  景品受取人
７ｂ  景品売渡人
１０    会員管理Ｔ／Ｃ
２０    計数機
３０，７０    景品管理装置
３１    遊技客用タッチパネル
３２    従業員用タッチパネル
３３    通信制御ＩＦ部
３４    会員カード処理部
３５    計数レシート処理部
３６    獲得玉／獲得メダルＤＢ
３７，７２    制御部
３７ａ，７２ａ  景品交換処理部
３７ｂ，７２ｂ  受取人情報取得部
３７ｃ，７２ｃ  受取人情報格納部
４０    景品払出機
５０    景品買取機
５１    電源部
５２ａ  外部タッチパネル
５２ｂ  内部タッチパネル
５３    レシート処理部
５４ａ  景品搬送制御部
５４ｂ  景品読取部
５４ｃ  景品収納部
５５ａ  紙幣処理部
５５ｂ  硬貨処理部
５６    会員カード処理部
５７    買取り集計ＤＢ
５８    制御部
５８ａ  景品買取り処理部
５８ｂ  売渡人情報取得部
５８ｃ  本人確認処理部
９０    特殊景品取扱い端末
９１    入力部
９２    表示部
９３    記憶部
９４    景品読取部
９５    制御部
９５ａ  本人確認支援部
【図１】
2008000365.tif 000003
【図２】
2008000365.tif 000004
【図３】
2008000365.tif 000005
【図４】
2008000365.tif 000006
【図５】
2008000365.tif 000007
【図６】
2008000365.tif 000008
【図７】
2008000365.tif 000009
【図８】
2008000365.tif 000010
【図９】
2008000365.tif 000011
【図１０】
2008000365.tif 000012